(57)【要約】【課題】簡単な構造で譜面板を楽器本体の左右方向の任意の位置に自由に移動させることができ、楽器本体の上面を有効に活用することができる楽器用譜面板の取付構造を提供する。【解決手段】楽器本体２の上面に楽器本体２の幅方向の略全長に延在する譜面受け部材２０を設ける。譜面受け部材２０の上面に譜面受け部２２とガイド部２３を略全長にわたって設ける。譜面板７の下端にスライド部材２５を取付け、このスライド部材２５を前記ガイド部２３にスライド自在に挿入する。【選択図】        図２
2004294789.tif 000002
【特許請求の範囲】
【請求項１】
楽器本体の上面に譜面受け部とガイド部とを鍵盤の鍵の配列方向に延在するように形成し、譜面板を前記ガイド部にスライド自在に取付けたことを特徴とする鍵盤楽器用譜面板の取付構造。
【請求項２】
請求項１記載の鍵盤楽器用譜面板の取付構造において、
前記譜面板が前記ガイド部に対して着脱自在であることを特徴とする鍵盤楽器用譜面板の取付構造。
【請求項３】
請求項１記載の鍵盤楽器用譜面板の取付構造において、
前記ガイド部に沿ってスライドするスライド部材を備え、このスライド部材に前記譜面板を角度調整手段によって前後方向に角度調整可能に取付けたことを特徴とする鍵盤楽器用譜面板の取付構造。
【請求項４】
請求項３記載の鍵盤楽器用譜面板の取付構造において、
前記ガイド部が溝または突条体で、スライド部材が前記ガイド部に対して着脱可能に取付けられていることを特徴とする鍵盤楽器用譜面板の取付構造。
【請求項５】
請求項１，２，３または４記載の鍵盤楽器用譜面板の取付構造において、
前記スライド部材をガイド部に沿ってスライドさせる駆動装置を備えたことを特徴とする鍵盤楽器用譜面板の取付構造。
【発明の詳細な説明】
【０００１】
【発明の属する技術分野】
本発明は、ピアノ、電子ピアノ等の鍵盤楽器の譜面板、特に楽器本体の上面に設置される譜面板に適用して好適な鍵盤楽器用譜面板の取付構造に関する。
【０００２】
【従来の技術】
ピアノ、電子ピアノ、オルガン等の鍵盤楽器、特にグランドピアノ、スライド式の鍵盤蓋を備えた電子ピアノ、キーボードなどは、通常楽器本体または譜面台の上に譜面板を折畳み自在に設け、この譜面板に譜面を立て掛けて使用するようにしている。
【０００３】
図７はグランドピアノの一部を破断して示す正面図、図８は同ピアノの譜面板の取付構造を示す側面図で、図中符号１で示すものはグランドピアノ、２は楽器本体、３は楽器本体２の前端部に幅方向に配列された複数個の白鍵３Ａおよび黒鍵３Ｂとからなる鍵盤、４は鍵盤３を覆う開閉自在な鍵盤蓋、５は楽器本体２の上面を覆う開閉自在な屋根板、６は楽器本体２の上面に設置された譜面台、７は折畳み自在な譜面板、８は譜面板７を支持する支え部材である。
【０００４】
前記譜面板７は、下端が譜面台６の上面に蝶番９を介して前後方向に傾倒自在に枢着されており、不使用時においては支え部材８を裏面に沿うように折畳み、二点鎖線で示すように後方に倒れることにより譜面台６の上面に沿うように収納される。支え部材８は、上端が譜面板７の裏面に蝶番１０を介して取付けられており、譜面板７の使用時に下端が譜面台６の上面に設けた複数の係止溝１１のうちのいずれか１つに係合することにより、譜面板７を後方に所要角度傾斜した状態に支持させる。譜面板７の傾斜角度を変えるときは、支え部材８を前方または後方に回動させて下端を他の係止溝１１に係合させる。なお、１２は支え部材８の傾動角度を規制するストッパ、１３は譜面、１４は譜面支えを示す。
【０００５】
鍵盤楽器における譜面板の他の取付構造としては、例えば特許文献１，２，３に記載されたものが知られている。なお、出願人は本明細書に記載した先行技術文献情報で特定される先行技術文献以外には、本発明に密接に関連する先行技術文献を出願時までに見つけ出すことはできなかった。
【０００６】
【特許文献１】
実公昭５４−４２９００号公報
【特許文献２】
実開平２−８１５９１号公報
【特許文献３】
特開平５−２４１５６７号公報
【０００７】
上記実公昭５４−４２９００号公報に記載されているピアノの譜面台装置は、上前板を備えたアップライト型のピアノの譜面台装置に関するもので、楽器本体の前面を構成する上前板にスライド棒を横設し、このスライド棒に譜面等を置く譜面台（譜面板）をスプリングキャッチャを介して取付けることにより、前記譜面台を楽器本体の幅方向に自由に移動できるようにしたものである。
【０００８】
上記実開平２−８１５９１号公報に記載されているポータブルキーボード用譜面立ては、譜面台をキーボード本体に対して角度０°の略水平位置と角度約９０°の演奏時使用位置の少なくとも２位置に固定し得るように設けたものである。また、前記譜面台をキーボード本体の背面側に立設した支持棒の上端に角度調整具を介して角度調整可能に取付けている。
【０００９】
上記特開平５−２４１５６７号公報に記載された鍵盤楽器の譜面板取付構造は、鍵盤の鍵の並設方向の全長と略等しい長さかそれ以上の長さを有するパネルを押出成形品によって形成して楽器本体の上部に取付け、このパネルの後部背面にパネル押出方向に沿う譜面台取付溝または凸条を均一な幅でパネル全長にわたって形成するとともに、譜面台の下部に前記譜面台取付溝または突条に任意の位置に差込み可能な差込部を形成することにより、前記譜面台の取付け位置を変更可能に構成したものである。
【００１０】
【発明が解決しようとする課題】
しかしながら、図８に示したグランドピアノにおける従来の譜面板の取付構造では、譜面板７を楽器本体２の左右方向に移動させることができないため、二人の奏者が並んで連弾演奏したり、教師と生徒が並んで演奏するときなどにおいて、各々の奏者が譜面１３を斜め前方から見るようになり、譜面が見難いという問題があった。
【００１１】
実公昭５４−４２９００号公報に記載された譜面台装置は、譜面台をスライド棒に沿って左右方向に移動させることができるため、上記した不具合を解消することができる。しかし、上前板にスライド棒を横設しているために採用できる楽器がアップライト型のピアノまたは電気ピアノに制約され、上前板を備えていないグランドピアノやキーボードには適用することができないという問題があった。また、上前板にスライド棒を横設しているため、ピアノの外観上の見栄えを著しく損なう。さらに、譜面台が下屋根の上面上を摺動するときに下屋根に傷をつけないようにするために譜面台の下面にフェルトを貼着しているが、完全には傷の発生を防止することが難しく、フェルトが摺動する部分のニスが剥げて艶がなくなったり塗料が変色したりし好ましくないという問題もあった。
【００１２】
実開平２−８１５９１号公報に記載されたキーボード用譜面立ては、上記したグランドピアノの譜面板と同様に左右方向に移動調整することができないという問題があった。
【００１３】
特開平５−２４１５６７号公報に記載された譜面台取付構造では、譜面台を左右方向に移動させるときに、その都度差込部を譜面台取付溝または凸条から抜き出して譜面台をパネルから取り外し、移動させるべき位置において差込部を再度譜面台取付溝または凸条に差し込む必要がある。このため、譜面台を移動させる操作が煩わしく、また譜面台の着脱操作時に凸条を破損するおそれがあるという問題があった。
【００１４】
本発明は上記した従来の問題を解決するためになされたもので、その目的とするところは、簡単な構造で譜面板を楽器本体の左右方向の任意の位置に自由に移動させることができ、また楽器本体の上面を有効に活用することができ、特に上前板を備えない鍵盤楽器に適用して好適な譜面板取付構造を提供することにある。
【００１５】
【課題を解決するための手段】
上記目的を達成するために第１の発明は、楽器本体の上面に譜面受け部とガイド部とを鍵盤の鍵の配列方向に延在するように形成し、譜面板を前記ガイド部にスライド自在に取付けたものである。
【００１６】
第１の発明においては、譜面板をガイド部に沿って鍵盤の並設方向に自由に移動させることができる。譜面受けは、ガイド部とともに鍵の配列方向に延在しているので、譜面板が何処に移動しても譜面を受け止めることができる。
【００１７】
第２の発明は、前記譜面板を前記ガイド部に対して着脱自在としたものである。
【００１８】
第２の発明においては、譜面板を使用しないとき、楽器本体から取り外すことができる。
【００１９】
第３の発明は、前記ガイド部に沿ってスライドするスライド部材を備え、このスライド部材に前記譜面板を角度調整手段によって前後方向に角度調整可能に取付けたものである。
【００２０】
第３の発明においては、譜面板の前後方向の角度を角度調整手段によって調整することができる。
【００２１】
第４の発明は、前記ガイド部が溝または突条体で、スライド部材が前記ガイド部に対して着脱可能に取付けられているものである。
【００２２】
第４の発明においては、譜面板を使用しないとき、スライド部材とともに譜面板を楽器本体から取り外すことができる。
【００２３】
第５の発明は、前記スライド部材をガイド部に沿ってスライドさせる駆動装置を備えたものである。
【００２４】
第５の発明においては、駆動装置の駆動によって譜面板を任意の位置に移動させることができる。
【００２５】
【発明の実施の形態】
以下、本発明を図面に示す実施の形態に基づいて詳細に説明する。
図１は本発明に係る鍵盤楽器用譜面板の取付構造をグランドピアノの譜面板に適用した第１の実施の形態を示す正面図、図２は図１のＩＩ−ＩＩ線断面図である。なお、従来技術の欄で示した構成部材と同等のものについては、同一符号をもって示し、その説明を適宜省略する。これらの図において、グランドピアノは、図８に示した従来のグランドピアノと同様に楽器本体２の上面に設置された譜面板７を備えている。前記譜面板７は、従来の譜面板と同様な長さと大きさを有し、楽器本体２に対して着脱自在にかつ鍵盤３（図７参照）の鍵の並設（配列）方向（矢印方向）に移動調整可能に設置されている。
【００２６】
また、前記楽器本体２の上面で譜面板７が設置される前端部には、譜面受け部材２０が設けられている。譜面受け部材２０は、楽器本体２の両側面を構成する左右一対の側板２１，２１間に延在する長さと、図２に示すような縦断面形状を有し、上面に譜面受け部２２とガイド部２３が譜面受け部材２０の長手方向の略全長にわたって延在するようにそれぞれ形成されている。
【００２７】
前記譜面受け部２２は、譜面板７に立て掛けられる譜面１３の下端を受け止め支承する部分で、後方に向かって小角度傾斜した平坦面に形成され、表面全体に化粧板２４が貼着されている。また、譜面受け部２２の前端には、譜面１３が滑って譜面受け部２２から落下するのを防止する譜面支え１４が全長にわたって一体に突設されている。
【００２８】
前記ガイド部２３は、前記譜面受け部２２の後方側に位置付けられて形成された後方側に小角度（５〜１０°程度）傾斜した縦溝からなり、前記譜面板７の下端に取付けたスライド部材２５が上方から挿抜（着脱）自在にかつ左右方向にスライド自在に挿入されており、これにより譜面板７の左右方向への移動を可能にしている。
【００２９】
前記スライド部材２５は、アルミニウム合金、木材、合成樹脂等によって形成されるもので、譜面板７と略同一長さを有し前記ガイド部２３にスライド自在に挿入される矩形板状の本体２５Ａと、この本体２５Ａの上端に連設され前記譜面板７の下端部を保持する譜面板保持部２５Ｂとで構成されている。本体２５Ａの表裏面には、フェルト、人工皮革等のクッション材２６が貼着されており、金属どうしが擦れないようにしている。前記譜面板保持部２５Ｂは、その側断面形状を上向きコ字状に形成することにより、上方が開放する嵌合溝２７を有し、この嵌合溝２７に譜面板７の下端部を嵌合し接着剤、ビス等によって固定している。
【００３０】
このような構造からなる譜面板の取付構造によれば、演奏者が譜面板７またはスライド部材２５を手で左または右方向に押圧すると、スライド部材２５の本体２５Ａがガイド部２３に沿ってスライドするため、譜面板７をスライド部材２５と一体に任意の位置に自由に移動させることができる。
【００３１】
また、譜面受け部２２は、譜面受け部材２０の略全長にわたる長さをもって形成されているので、譜面板７が左右のどの位置に移動しても譜面１３を譜面板７に対して正しくかつ安定した状態で立て掛けることができる。それ故、演奏者は自己の最も見易い位置に譜面１３を置いて演奏することができ、特に生徒が教師と連弾するときには生徒側に譜面板７を移動させておくと、生徒にとって譜面が見易くなるため、良好に演奏することができる。また、二人で連弾演奏するときには譜面板７を２つ設置することも可能である。
【００３２】
また、譜面板７を左右いずれか一方、例えば左側に最大距離移動させて使用すると、譜面受け部２２の右半分が広く空くため、この右半分を教本、ノート、メトロノーム、時計等を置いておくためのスペースとして有効に活用することができる。
【００３３】
また、譜面板７を必要としない場合は、スライド部材２５をガイド部２３から抜き出すと、譜面板７を楽器本体２から容易に取り外すことができる。
【００３４】
さらに、譜面受け部材２０に譜面受け部２２とガイド部２３とを設けているので、これらを別々に設けた場合に比べて部品点数を削減でき、楽器本体２への取付け作業が容易である。
【００３５】
図３は本発明の第２の実施の形態を示す譜面板取付構造の断面図である。
この実施の形態では、譜面受け部材２０の上面を譜面受け部２２とし、レール部材３１によって譜面板７のガイド部３２を形成している。すなわち、本実施の形態は、譜面受け部２２とガイド部３２を譜面受け部材２０とレール部材３１の２部材によって個々に形成したものである。
【００３６】
前記譜面受け部材２０は、木製、合成樹脂製または軽金属製で、楽器本体２の幅方向の略全長にわたって延在する長さを有し、楽器本体２の上面前端部に設置固定されており、上面が譜面１３の下端を受け止め支持する譜面受け部２２を形成し、前端には譜面支え１４が一体に突設されている。
【００３７】
前記レール部材３１は、その断面形状が上方に開放するＣ字状のアルミニウム合金製中空押出形材によって製作され、前記譜面受け部材２０の後方に位置して楽器本体２の上面に埋設されている。レール部材３１のガイド部３２は、レール部材３１の内部空間で、断面形状が凸型の溝を形成している。そして、レール部材３１は、前記譜面受け部材２０と略同一の長さを有している。
【００３８】
前記譜面板７の下端に取付けられるスライド部材２５は、同じくアルミニウム合金の押出形材製で、前記レール部材３１のガイド部３２に側方からスライド自在に挿入される逆Ｔ字型の本体２５Ａと、譜面板保持部２５Ｂとで構成されている。譜面板保持部２５Ｂは、上記した第１の実施の形態と同様な形状に形成されており譜面板７の下端部を保持している。なお、本実施の形態においては図示を省略したが、前記本体２５には上記した実施の形態と同様に金属どうしの擦れを防止するためにクッション材が貼着されている。また、前記レール部材３１のガイド部３２の上面の一部にスライド部材２５より若干長い開放部を設け、この開放部からスライド部材２５の本体２５Ａを抜き出せるようにしている。
【００３９】
このような構造においても、上記した実施の形態と同様な効果が得られることは明らかであろう。
【００４０】
図４は本発明の第３の実施の形態を示す譜面板取付構造の断面図である。
この実施の形態では、譜面受け部材２０の上面を譜面受け部２２とし、楽器本体２の上面に譜面板７の左右方向への移動を可能にするガイド部４０を直接形成している。また、前記ガイド部４０にスライド自在にかつ着脱自在に配設されるスライド部材４１の上面に譜面板７を角度調整手段を構成するトルクヒンジ４２を介して前後方向に角度調整可能に配設している。
【００４１】
前記ガイド部４０は、その側断面形状を鈎型（Ｌ字型）の溝で形成することにより、縦溝部４０ａと、この縦溝部４０ａの上端より後方に延在する水平溝部４０ｂとからなり、前記譜面受け部材２０の直後に位置するように形成されている。
【００４２】
前記スライド部材４１は、前記ガイド部４０と略同じ側断面形状の鈎型（Ｌ字型）に形成することにより、前記縦溝部４０ａに上方からスライド自在に挿入される垂直板部４１ａと、この垂直板部４１ａの上端に連設され前記水平溝部４０ｂに同じくスライド自在に挿入される水平板部４１ｂとで構成されている。そして、垂直板部４１ａの表裏面と水平溝部４０ｂの下面には、金属どうしの擦れ合いを防止するためにクッション材２６が貼着されている。
【００４３】
前記トルクヒンジ４２は、回動抵抗を調整可能にした従来から広く知られているもので、譜面板７を使用角度範囲内（例えばα＝０°〜８０°）において任意の角度位置に維持することができる。譜面板７は、不使用時において後方に倒されることにより楽器本体２の上面に沿って収納される。
【００４４】
このような構造においては、トルクヒンジ４２によって譜面板７を前後方向に角度調整可能に枢着しているので、譜面板７を演奏者の好みの角度に調整することができ、また不使用時には楽器本体２の上面に沿うように収納することができる。なお、トルクヒンジ４２のみでは譜面板７が後方に倒れるおそれがあるため、ワンウエクラッチ（フリーロックヒンジ）等を併用したり、あるいは支えを備えた蝶番を使用してもよい。
【００４５】
図５は本発明の第４の実施の形態を示す斜視図である。
この実施の形態では、駆動装置５０によって譜面板７を楽器本体の左右方向に移動させるように構成している。駆動装置５０としてはモータが用いられ、楽器本体の適宜箇所（例えば、棚板下面）に設けたスイッチを演奏者が操作することによって駆動される。譜面板７は上記した第３の実施の形態と同様に側面視形状が鉤形のスライド部材４１上にトルクヒンジ４２を介して前後方向に角度調整可能に設置されている。
【００４６】
前記モータ５０は、楽器本体の一側寄りに配設され、出力軸５１の回転が無端状のタイミングベルト５２によって前記スライド部材４１に伝達される。このため、前記出力軸５１には駆動側歯付きプーリ５３が固定され、楽器本体の前記モータ５０とは反対側には従動側歯付きプーリ５４が回転自在に配設されている。前記タイミングベルト５２は、前記プーリ５３，５４間に張設され、前記スライド部材４１が固定されている。なお、回転伝達手段としてタイミングベルト５２を用いたが、これに限らずワイヤを用いたり、あるいは図６に示すようにラック５５とピニオン５６を用いてもよい。
【００４７】
図６に示す構造においては、モータ５０を楽器本体側に固定し、その出力軸５１に設けたピニオン５６をスライド部材４１の下面に形成したラック５５に噛合させた例を示したが、これとは反対にモータ５０をスライド部材４１の下面側に固定し、ラック５５を楽器本体側に設けることも可能である。このようにするとラック５５を楽器本体の幅方向の略全長にわたって形成することが可能であるため、楽器本体側にモータ５０を設ける場合に比べて譜面板７の左右方向への最大移動ストロークを大きくすることができる。
【００４８】
このような構造においては、演奏者が手でスイッチを操作してモータ５０を駆動することにより、譜面板７を所望の位置に移動させることができ、譜面板７の移動操作が容易である。
【００４９】
なお、本発明は上記した実施の形態に何ら限定されるものではなく、種々の変更、変形が可能である。例えば、譜面板７の角度調整機構として摩擦板やチルト機構を用いてもよい。
【００５０】
また、上記した実施の形態においては、いずれもグランドピアノの譜面板７に適用した例を示したが、本発明はこれに何ら限定されるものではなく、電子楽器やオルガン等の鍵盤楽器の譜面板にもそのまま適用することができる。
【００５１】
さらに、上記した実施の形態は、譜面板７のスライド機構を楽器本体側に設けた溝からなるガイド部２３と、このガイド部２３に摺動自在に挿入されるスライド部材２５とで構成した例を示したが、これに限らずスライド部材２５に溝を設け、楽器本体側に突条体からなるガイド部を設け、このガイド部を前記溝に対して相対的に摺動自在に挿入してもよい。
【００５２】
【発明の効果】
以上説明したように本発明に係る鍵盤楽器用譜面板の取付構造によれば、譜面板を演奏者の最も見易い位置に自由に移動させることができ、楽器の演奏性を向上させることができる。また、譜面板を左方または右方に移動させると、楽器本体の上面で譜面板移動側とは反対側が広い空間となるため、この空間を教本等の設置場所として有効に活用することができる。
【００５３】
また、譜面板を駆動装置によって移動させるようにした発明においては、スイッチをＯＮ、ＯＦＦ操作するだけでよく、子供などでも譜面板の移動操作が簡単かつ容易である。
【図面の簡単な説明】
【図１】本発明に係る鍵盤楽器用譜面板の取付構造をグランドピアノの譜面板に適用した第１の実施の形態を示す正面図である。
【図２】図１のＩＩ−ＩＩ線断面図である。
【図３】本発明の第２の実施の形態を示す断面図である。
【図４】本発明の第３の実施の形態を示す断面図である。
【図５】本発明の第４の実施の形態を示す斜視図である。
【図６】本発明の第５の実施の形態を示す正面図である。
【図７】グランドピアノの一部を破断して示す正面図である。
【図８】同ピアノの譜面板の取付構造を示す側面図である。
【符号の説明】
２…楽器本体、６…譜面台、７…譜面板、８…支え部材、９，１０…蝶番、１３…譜面、２０…譜面受け部材、２２…譜面受け部、２３…ガイド部、２５…スライド部材、４２…トルクヒンジ、５０…モータ。
【図１】
2004294789.tif 000003
【図２】
2004294789.tif 000004
【図３】
2004294789.tif 000005
【図４】
2004294789.tif 000006
【図５】
2004294789.tif 000007
【図６】
2004294789.tif 000008
【図７】
2004294789.tif 000009
【図８】
2004294789.tif 000010